(57)【要約】  靴がその上部に連結されたフラップ（７）を有し、そのフラップは、その内面が靴の上部（Ｔ）に隣接している不使用状態（Ｉ）を取ることができる。保護要素（９）は、この部分を浸水の可能性から守るため、フラップ（７）を上方に上げて、帯（９０）が靴（１）の後ろ上部を包み込み、上部（Ｔ）の前中央部の対向端（Ｋ）の上方で重ね合わせるようにして第一及び第二ウイング（９０ａ、９０ｂ）が靴側面を包み込むフラップ（７）の不使用状態（Ｉ）の定義の結果として、少なくともくとも第一ウイング（９０ａ）と第二ウイング（９０ｂ）を形成し、広げた形態（Ｄ）を取る帯（９０）を有する。
2007501025.tif 000002
【特許請求の範囲】
【請求項１】
下記の事項によって特徴付けられる上端を有する上部からなる靴。即ち、フラップ（７）の外表面が前記靴（１）の上部（Ｔ）に隣接している不使用状態（Ｉ）で、そのフラップがセット出来るように靴（１）の上端（Ｂ）の下方に位置するフラップと，
靴上部の一部分（Ｈ）に連結され、上部（Ｔ）の上端（Ｂ）に固定され、前記フラップ（７）の不使用状態（Ｉ）の定義に従って得られる、保護要素（９）は広げた形態（Ｄ）で、少なくとも第一ウイング（９０ａ）と第二ウイング（９０ｂ）を形成する帯（９０）が含まれ、ここで帯（９０）は、フラップ（７）に関して重なる状態で靴（１）の後ろ上部を囲い込み、第一ウイング（９０ａ）と第二ウイング（９０ｂ）は、上部（Ｔ）の前中央部の対向した端（Ｋ）の上方で、この部分を浸水の可能性から守るために、靴の側面を重なり合い締め付けるように囲い込む、保護要素とである。
【請求項２】
請求項１で請求した靴で、
前記フラップ（７）が、シート（７８）を定義するように上方に曲げられる使用状態（O）を取るという事、そして前記保護要素（９）が、適切に折りたたまれ、シート（７８）に受け入れられる前記フラップ（７）の使用状態（O）の定義の前に得られる、折りたたみ形態（R）を取るという事を特徴とするもの。
【請求項３】
請求項１で請求した靴で、
固定手段（９９ａ、９９ｂ）が前記第一ウイング（９０ａ）の端（９００ａ）の上方と前記第二ウイング（９０ｂ）の端（９００ｂ）の下方に位置し、保護要素（９）は広げた（折りたたまれていない）形態（Ｆ）で、前記固定手段（９９ａ、９９ｂ）が上部（Ｔ）の前中央部の対向端（Ｋ）の上方で前記第一ウイング（９０ａ）と前記第二ウイング（９０ｂ）の位置を固定するという事を特徴とするもの。
【請求項４】
請求項２で請求した靴で、
内表面の端（７０）の近傍で、前記フラップ（７）が第一締め付け手段（７９）を含む事、そして前記保護要素（９）が、前記上端（Ｂ）の下方の一部に位置し、前記保護要素（９）を適切に折りたたんでシート（７８）の中に保持するように、前記第一締め付け手段（７９）と第二締め付け手段（９７）が前記使用状態（O）でのフラップ（７）を安定させるように、共に付けられる事を特徴とするもの。
【請求項５】
請求項１で請求した靴で、
第一安定化手段（８）が、底（F）の側面（ｆｉ）の対向する位置に付けられ、第二安定化手段（８０）が、前記第一ウイング（９０ａ）と前記第二ウイング（９０ｂ）の自由端に付けられている事、そして前記保護要素（９）は広げた位置（Ｄ）で、前記第一安定化手段（８）と前記第二安定化手段（８０）が、前記底（F）の側面（ｆｉ）に前記保護要素（９）を取り外しできるように固定するために付けられている事を特徴とするもの。
【請求項６】
請求項１で請求した靴で、
第一安定化手段（８）が、底（F）の側面（ｆｉ）の対向する位置に付けられ、第二安定化手段（８０）が、前記第一ウイング（９０ａ）と前記第二ウイング（９０ｂ）の自由端に付けられている事、そして前記保護要素（９）は広げた位置（Ｄ）で、前記第一安定化手段（８）と前記第二安定化手段（８０）が、前記靴（１）の側面に前記保護要素（９）を固定するように連結する事を特徴とするもの。
【請求項７】
請求項１で請求した靴で、
前記保護要素（９）が防水性の材料で作られる事を特徴とするもの。
【請求項８】
請求項１で請求した靴で、特に
前記固定手段（９９ａ、９９ｂ）が商標Velkroで作られている事を特徴とするもの。
【請求項９】
請求項１で請求した靴で、
前記第一締め付け手段（７９）と前記第二締め付け手段（９７）が商標Velkroで作られる事を特徴とするもの。
【発明の詳細な説明】
【背景技術】
【０００１】
本発明は、履物に関する。
【発明の開示】
【０００２】
本発明の目的は、広げた（折りたたまれていない）形態で靴を保護するようにした、それと一体となった要素を備えた靴を提案することである。
【０００３】
本発明のもう一つの目的は、その保護要素を、簡単な手操作で使うことのできる靴を提案することである。
【０００４】
本発明の更なる目的は、不使用状態で、その大きさ（寸法）が小さくなるような保護要素を備えた靴を提案することである。
【０００５】
本発明の更なる目的は、特別な技術的機能的特性と興味深い美的側面とを有する靴を提案することである。
【０００６】
上述の目的は、本発明の請求項から理解されるように、本発明によって達成され、特に次のような事柄によって特徴付けられるような上端を有する上部から成る靴によって達成される。即ち、
靴上部の一部分に連結された、そのフラップが不使用状態でセットできるように靴の上端の下方に位置し、フラップの外表面が前記靴の上部に隣接しているフラップと，
上部の上端に固定され、前記フラップの不使用状態の定義に従って得られる、前記保護要素は広げた形態で、少なくとも第一ウイングと第二ウイングを形成する帯（ストリップ）が含まれ、保護要素であり、ここで帯は、フラップに関して重なる状態で靴の後ろ上部を囲い込み、第一ウイング（９０ａ）と第二ウイングは、上部の前中央部の対向した端の上方で、この部分を浸水の可能性から守るために、靴の側面を重なり合い締め付けるように囲い込む保護要素である。
【発明を実施するための最良の形態】
【０００７】
同封した図面に関して、参照番号１は靴で、例えばブーツ（長靴）を表し、それは、例えば鉢形底のような底Ｆと、既知の方法でそれに固定された上部Ｔから成る。
【０００８】
その前上部の向かい合った端Sに相当する領域において、上部Tは、結び帯６を備えている。
【０００９】
第一の安定化手段８は、例えばスナップファスナーの一部で、その一つに限って同封の図面で見ることが出来るが、図１に示すように、底Fの向かい合った外側“fi”に固定される。
【００１０】
図１ａに示すように、第一の安定化手段８は、別の様式では、上部Tの対向両側面に固定される。
【００１１】
靴１は、部分Ｈで上部Ｔに連結され、靴１の上端Ｂの下方に位置する垂れ豚７を含んでいる。
【００１２】
例えば、その働きは後で説明するが、１片の商標Velkroのような第一締め付け手段７９を、フラップ７の内面の端７０に取付ける。
【００１３】
フラップ７は、使用状態Ｏ（図１参照）では、フラップ７がシート７８を形成するように上方に曲げられた形状で、不使用状態Ｉ（図２参照）では、フラップ７の外面が上部Tに隣接するような形状である。
【００１４】
靴１はまた、例えば不透水性の材料の保護要素９を含む。これは上部Tの上端Bに固定され、第一ウイング９０ａと第二ウイング９０ｂという２つのウイングを形成する帯９０を含んでいる。
【００１５】
例えば、１片の商標Velkroのような固定化手段９９ａ、９９ｂが、第一ウイング９０ａの端９００ａの上方に、そして第二ウイング９０ｂの端９００ｂの下方に配置される。
【００１６】
第一・第二ウイング９０ａ、９０ｂの自由端はまた、第一安定化手段８に補完的に、第二安定化手段８０を備えている。
【００１７】
望ましくは折りたたまれた保護要素９は、折りたたみ形態R（図２参照）を取り、これは、フラップ７の使用状況Oの定義より前の状況で、結果として、保護要素９はシート７８内に含まれる。
【００１８】
この形態において、第一締め付け手段７９は、第二締め付け手段９７と対をなしていて、保護要素９は勿論のこと、フラップ位置を安定化させるように、上端Bの下方の保護要素上に形成される。
【００１９】
保護要素９はまた、フラップ７の不使用状態Ｉの定義に先行して、広げた形態D（図４参照）を取り、ここで、帯９０は、フラップ７に関して重なり合う状態で靴１の後ろ上部を包み込み、第一ウイング９０ａと第二ウイング９０ｂは、固定化手段９９ａ、９９ｂの働きによって、上部Tの前中央部の対向端Kの上方で、靴の側面に重なり合い締め付けられるように囲い込む。
【００２０】
広げた形態Dでは、第一安定化手段８は、保護要素９を底Fの側面あるいは上部Tの側面に、取り外しできるように固定するための第二安定化手段８０に結び付けられる。
【００２１】
保護要素が使用されるとき、フラップ７は、折りたたみ形態Rから広げた形態Dへと移行させる、保護要素９を広げることの障害とならないように不使用状態Iにセットされ、ここで、帯９０は、靴１の後ろ上部を包み込み、ウイング９０ａ、９０ｂは、靴の側面を包み、靴１の前上部を覆うようにして、そのカラー上で止められる。
【００２２】
保護要素９を広げることによって、第二安定化手段８０は第一安定化手段と合致することなり、靴を使用するとき保護要素９は安定する。
【００２３】
保護要素９が必要ないときは、靴の使用者は、第二安定化手段８０を第一手段８から外して、固定化手段９９ａ、９９ｂを外して、９９ａ、９９ｂを開いて、最終的に保護要素９全体を適切の折りたたむ。
【００２４】
次に、使用者は、第一締め付け手段７９と第二締め付け手段９７を連結させ、フラップ７の部分を閉じ込めるようにするために、その中に保護要素９がふくまれるシート７８を明確にするように、フラップ７を使用状態Ｏにする。
【００２５】
この形態の靴は、多くの利点を有する。
【００２６】
靴の端に固定され、上部Ｔと垂れ豚７の間で形成されるシート７８中に入れられる保護要素９は、天候によって保護要素９を使うことも使わないこともできるので、特に都合の良いものである。
【００２７】
広げた形態での保護要素９は、上部Tの前中央部の対向端Kを、雨や雪から保護する。
【００２８】
第一ウイング９０ａと第二ウイング９０ｂは、対向端Kの上方で重ね合わされ、したがって、浸水の可能性からこの部分を特に守る
【００２９】
保護要素９は特別な防水材料で出来ており，従ってそれは足首部分を浸水の可能性から守り，そしてそれは上部の構成材料を引っ掻き，粉，紫外線などから守る。
【００３０】
靴の端に固定され、そして広げた形態Rのときに前に記述したような形状にされた保護要素９は、靴の美的側面に対して積極的な効果を有する。
【００３１】
上部に連結されたフラップ７を有することは、不使用状態Iでは保護要素９を広げる邪魔をしないし、使用状態Oでは集結形態Rに保護要素９を受け入れて保持するためのシート７８を定義するという理由で、もう一つの利点である。
【００３２】
以上の記述から、序文で述べた目的を総て達成するように、靴にしっかりと固定されてオリジナルな形態を提案ふる保護要素の提案の有利な特性が明らかとなる。
【００３３】
靴は、信頼されるものであり、長持ちすることが必要とされる。
【図面の簡単な説明】
【００３４】
本発明の特徴を、挿入した図面に関して指摘する。
【図１】本発明によって提案された靴の斜視図。
【図１Ａ】指摘された安定要素の一つの変形を有した、ここで提案された靴の側面縮小図。
【図２】指摘されたここで提案された靴のフラップを開いた状態の側面縮小図。
【図３】指摘された靴保護要素を開いた状態の靴の上面縮小図である。
【図４】指摘された保護要素が配置された状態での、提案された靴の予想図。
【符号の説明】
【００３５】
１：靴
６：結び帯
７：フラップ
８：第１安定化手段
９：保護要素
７０：内面の端
７８：シート
７９：第一締め付け手段
８０：第二安定化手段
９０：帯（ストリップ）
９０ａ：第一ウイング
９０ｂ：第二ウイング
９７：第二締め付け手段
９９ａ、９９ｂ：固定手段
９００ａ、９００ｂ：ウイングの端
Ｂ：上端
Ｄ：広げた形態
Ｆ：底
Ｈ：部分
Ｉ：不使用状態
Ｋ：対向端
Ｏ：使用状態
Ｒ：折りたたみ形態
Ｔ：上部
ｆｉ：ｆｉ
【図１】
2007501025.tif 000003
【図１Ａ】
2007501025.tif 000004
【図２】
2007501025.tif 000005
【図３】
2007501025.tif 000006
【図４】
2007501025.tif 000007
【国際調査報告】
2007501025.tif 000008
2007501025.tif 000009